(57)【要約】      （修正有）【課題】複数の包装体が収納される箱体への収納および箱体からの取り出しを円滑に行うことができ、頂壁や底壁が破断してしまうことを防止する包装体を提供する。【解決手段】包装体１は両端に端部開口２を有し、内部に複数の被収納物３を収納する筒状のカートン６を有している。カートン６の内部に収納される被収納物３として、蓋部３ａ、円筒状の首部３ｂ、首部３ｂの下端に連なり下方向に膨出するように傾斜する肩部３ｃ、肩部３ｃの下端に連なる円筒状の胴部３ｄ、および胴部３ｄの下端に連なる底部３ｅを有する首長状の缶３を用いるが、被収納物３はこれに限定されるものではない。また、包装体１に係るカートン６の構成材料としては主に厚紙が用いられるが、厚紙に限定されるものではない。カートン６は、頂壁５Ｅを含む複数の壁パネル５を有している。【選択図】図１
0003191088.tif 000002
【実用新案登録請求の範囲】
【請求項１】
頂壁を含む複数の壁パネルが筒状に連設され、両端に端部開口を備えたカートンを有しており、前記カートンの内部に複数の被収納物が収納される包装体において、
前記頂壁における前記端部開口側の開口端縁に、該開口端縁の両端部または両端部近傍を基端とし、前記頂壁の内側方向に凹入する形状の頂壁凹部が形成されていることを特徴とする包装体。
【請求項２】
前記頂壁に隣位して連設される前記壁パネルを傾斜壁とし、
前記頂壁凹部の両基端部が、前記傾斜壁の開口端縁に至って形成されていることを特徴とする請求項１に記載の包装体。
【請求項３】
前記頂壁に対向して配置される前記壁パネルを底壁とし、前記底壁の開口端縁に、前記カートンの内部において前記開口側に配置された被収納物の側面の下端部を支持する支持壁が立設されており、
前記支持壁の開放端縁に、該開放端縁の両端部または両端部近傍を基端として前記底壁の方向に凹入する形状の支持壁凹部が形成されていることを特徴とする請求項１または請求項２に記載の包装体。
【請求項４】
頂壁を含む複数の壁パネルが一列に配されており、前記壁パネルを筒状に連設し両端に端部開口を備えたカートンを形成するカートンブランクにおいて、
前記頂壁における前記カートンを形成した際に前記開口側に配置される開口端縁に、該開口端縁の両端部又は両端部近傍を基端とし、前記頂壁の内側方向に凹入する頂壁凹部が形成されていることを特徴とするカートンブランク。
【考案の詳細な説明】
【技術分野】
【０００１】
本考案は、両端が開口されたカートンを有する包装体、および両端が開口されたカートンを構成するカートンブランクに関する。
【背景技術】
【０００２】
従来より、両端が開口された筒状のカートンの内部に首長形状のボトル等の複数の被収納物をまとめて収納する包装体が、複数の物品の保管・運搬の容易性等の観点から用いられている。  
【０００３】
従来より、円筒状の缶、首長状の缶や瓶、さらにはペットボトル等の複数の物品をまとめて運搬する手段として、複数の被収納物の運搬が容易かつ便利であり、軽量であり、さらに製造コストも低い等の種々の観点から、内部に複数の物品としての被収納物が収納される筒状のカートンが多用されている。
【０００４】
ここで従来より多用されているカートンは、例えば特許文献１や特許文献２に示すように、ほぼ矩形状の頂壁、対向して配置される一対の側壁、および底壁がそれぞれ連結されて両端に端部開口を備えた筒状に形成されている。また、特許文献１や特許文献２に示すような首長状の缶や瓶等の被収納物を収納する場合には、頂壁に開口形成された複数の支持開口部によって、被収納物の首部および蓋部をカートンから露出させるとともに首部を支持するようになっている。さらに、カートンの内部に収納された被収納物が端部開口から落下してしまうことを防止するためにカートンの内部における端部開口側に配置された被収納物の下端部を被覆する支持壁が、底壁の端部開口側の端縁に立設されているカートンも多用されている。
【０００５】
また、より多くの物品を運搬するため、前述のカートン内部に被収納物が収納された包装体は、さらに大きな箱体に複数個が並列して収納されて、まとめて運搬されるようになっている。
【先行技術文献】
【特許文献】
【０００６】
【特許文献１】特表２００３−５２９４９６号公報
【特許文献２】特表２００９−５０２６８４号公報
【考案の概要】
【考案が解決しようとする課題】
【０００７】
しかし、前述のように複数の包装体を箱体によって運搬するにあたり、既に箱体に収納された１つの包装体の上方から他の包装体を端部開口が相互に対向するように隣位させて収納する場合、または箱体に収納された複数の包装体のうち端部開口が相互に対向して配置されている包装体の一方を上方に引き抜いて箱体から取り出す際、隣位する各包装体の頂壁と底壁とが緩衝して取り出しづらくなる場合があるという問題を有していた。特に、カートンの内部における端部開口側に配置された被収納物の下端部を被覆する支持壁が底壁の端部開口側の端縁に立設されている包装体の場合、前述のように１つの包装体を箱体から取り出す際に、隣位する各包装体の一方の包装体の支持壁の上端縁が他の包装体の頂壁と緩衝して取り出しづらいという問題があった。さらには、前記両包装体の頂壁と底壁や支持壁との緩衝により、支持壁や頂壁が破断してしまうおそれもあった。
【０００８】
本考案はこれらの点に鑑みてなされたものであり、両端に端部開口を備えたカートンの内部に複数の被収納物が収納された包装体について、箱体への収納および箱体からの取り出しを円滑に行うことができ、頂壁や底壁、さらには支持壁が破断してしまうことを防止することができる包装体、およびこのような包装体のカートンを構成するカートンブランクを提供することを目的とする。
【課題を解決するための手段】
【０００９】
前記目的を達成するため、本考案に係る包装体の特徴は、頂壁を含む複数の壁パネルが筒状に連設され、両端に端部開口を備えたカートンを有しており、前記カートンの内部に複数の被収納物が収納される包装体において、前記頂壁における前記端部開口側の開口端縁に、該開口端縁の両端部または両端部近傍を基端とし、前記頂壁における内側方向に凹入する形状の頂壁凹部が形成されている点にある。
【００１０】
本考案に係る包装体によれば、頂壁の開口端縁に頂壁凹部が形成されている。これにより、前記包装体は、複数の包装体が収納される箱体の内部に包装体に収納する際または前記箱体の内部から包装体を取り出す際に、カートンの頂壁が、端部開口が対向する位置に隣位して配置される包装体の頂壁や他の壁パネルと緩衝してしまうことを防止することができる。
【００１１】
また、前記頂壁に隣位して連設される前記壁パネルを傾斜壁とし、前記頂壁凹部の両基端部を、前記傾斜壁の開口端縁に至って形成することにより、頂壁の開口端縁全体が頂壁凹部となる。これにより、前記包装体は、カートンの頂壁が、箱体の内部において相互に端部開口が対向する位置に隣位して配置される包装体の頂壁や他の壁パネルと緩衝してしまうことをより確実に防止することができる。
【００１２】
さらに、前記頂壁に対向して配置される前記壁パネルを底壁とし、前記底壁の開口端縁に、前記カートンの内部において前記開口側に配置された被収納物の側面の下端部を支持する支持壁を立設し、前記支持壁の開放端縁に、該開放端縁の両端部または両端部近傍を基端として前記底壁の方向に凹入する形状の支持壁凹部を形成することにより、支持壁の開放端縁がカートンの外側に膨出してしまうことを防止することができる。これにより、前記包装体は、箱体の内部に包装体を収納する際または箱体の内部から包装体を取り出す際に、カートンの支持壁が、開口が対向する位置に隣位して配置される包装体の頂壁と緩衝してしまうことを防止することができる。
【００１３】
また、本考案に係るカートンブランクの特徴は、頂壁を含む複数の壁パネルが一列に配されており、前記壁パネルを筒状に連設し両端に端部開口を備えたカートンを形成するカートンブランクにおいて、前記頂壁における前記カートンを形成した際に前記端部開口側に配置される開口端縁に、該開口端縁の両端部又は両端部近傍を基端とし前記頂壁における内側方向に凹入する形状の頂壁凹部を形成する点にある。
【００１４】
本考案に係るカートンブランクによれば、頂壁の開口端縁に頂壁凹部が形成されているので、このカートンブランクによって形成されたカートンを備えた包装体は、複数の包装体が収納される箱体の内部に包装体を収納する際または前記箱体の内部から包装体を取り出す際に、カートンの頂壁が、開口が対向する位置に隣位して配置される包装体の頂壁や他の壁パネルと緩衝してしまうことを確実に防止することができる。
【考案の効果】
【００１５】
以上述べたように、本考案に係る包装体によれば、被収納物の箱体への収納および箱体からの取り出しを円滑に行うことができ、頂壁や他の壁パネルが破断してしまうことを防止することができる。また、本考案に係るカートンブランクによれば、複数の包装体が収納される箱体の内部に包装体を収納しまたは前記箱体の内部から包装体を取り出す際に、カートンの頂壁が、開口が対向する位置に隣位して配置される包装体の頂壁や他の壁パネルと緩衝してしまうことを防止することができる包装体のカートンを構成することができる。
【図面の簡単な説明】
【００１６】
【図１】本考案に係る包装体の一実施形態を示す斜視図
【図２】図１に示す包装体の平面図
【図３】図１に示す包装体におけるカートンを構成するカートンブランクの平面図
【図４】図１に示す包装体の正面図
【図５】図１に示す包装体に形成された頂壁凹部の他の実施形態を示す平面図
【考案を実施するための形態】
【００１７】
以下、本考案に係る包装体の実施形態を、図１乃至図５を参照して説明する。
【００１８】
図１は、本実施形態に係る包装体を示す斜視図であり、図１に示すように、本実施形態に係る包装体１は両端に端部開口２を有し、内部に複数の被収納物３を収納する筒状のカートン６を有している。ここで、本実施形態においては、カートン６の内部に収納される被収納物３として、蓋部３ａ、円筒状の首部３ｂ、首部３ｂの下端に連なり下方向に膨出するように傾斜する肩部３ｃ、肩部３ｃの下端に連なる円筒状の胴部３ｄ、および胴部３ｄの下端に連なる底部３ｅを有する首長状の缶３を用いて説明するが、本考案における被収納物３はこれに限定されるものではない。また、本考案の包装体１に係るカートン６の構成材料としては主に厚紙が用いられるが、厚紙に限定されるものではなく種々の材料を用いることが可能である。
【００１９】
カートン６は、頂壁５Ｅを含む複数の壁パネル５を有している。本実施形態においては、壁パネル５として複数の缶３（本実施形態においては６本）の底部３ｅが載置される底壁５Ａ、底壁５Ａの両側縁にそれぞれ連設される下側傾斜壁５Ｂ、下側傾斜壁５Ｂにそれぞれ連設され相互に対向配置される一対の側壁５Ｃ、両側壁５Ｃの側縁にそれぞれ連設される上側傾斜壁５Ｄ、および上側傾斜壁５Ｄに連設され底壁５Ａに対向配置される頂壁５Ｅを有している。
【００２０】
図２に示すように、頂壁５Ｅの端部開口２側の開口端縁には、頂壁５Ｅの内側方向に凹入する形状の頂壁凹部７が形成されている。頂壁凹部７は、頂壁５Ｅの開口端縁の両端部または両端部近傍を基端として形成されており、また他の壁パネル５Ａ〜５Ｄの開口端縁のうち最も外側に配置される開口端縁よりも頂壁５Ｅにおける内側方向に凹入する形状に形成されている。本実施形態において頂壁凹部７は、両基端部が上側傾斜壁５Ｄの開口端縁に至り、全体的に緩やかな円弧状に形成されている。
【００２１】
図３は、図１に示す包装体１のカートン６を構成するカートンブランク９の平面図であり、本実施形態に係るカートン６の一実施例として、図３に示すように、頂壁５Ｅの端縁方向の幅寸法が９３ｍｍ、側壁５Ｃの側縁方向の最大長さ寸法が１８０ｍｍにそれぞれ形成され、頂壁凹部７は、頂壁５Ｅの開口端縁の両端部から１０ｍｍ離間した上部側板５Ｃａの端部開口２側の開口端縁の途中部を基端とし、頂壁５Ｅの中央方向への凹入寸法が３ｍｍとなるように形成されている。
【００２２】
頂壁５Ｅには、カートン６の内部に収納される缶３の外周面を支持する支持開口部１０が、カートン６の内部に収納される缶３の数に対応して形成されている。本実施形態において支持開口部１０は、ほぼ２４０度程度の円弧の両端に双曲線の直線部分をそれぞれ接続して全体として閉鎖曲線としたものである。したがってこの形状は落下中の滴のような形状をなしている。そして、この支持開口部１０は、支持開口部１０の直線部分が頂壁５Ｅに隣位する上側傾斜壁５Ｄの一部分に至り、缶３における首部３ｂおよび肩部３ｃの外周面の一部を支持可能な大きさに形成されている。これにより、各缶３は、蓋部３ａ、首部３ｂおよび肩部３ｃの一部がカートン６から支持開口部１０を介して露出され、首部３ｂが支持開口部１０の円弧部分によって支持されるとともに肩部３ｃが支持開口部１０の直線部分によって支持されながらカートン６の内部に収納されるようになっている。
【００２３】
また、頂壁５Ｅの中央部分には、側縁方向（長さ方向）に対向して配置される一対の指挿入片１１が形成されている。両指挿入片１１は、頂壁５Ｅの長手方向に直交するように配置される直線状の折曲線１１ａを有しており、両指挿入片１１の折曲線１１ａは、両指挿入片１１の内側において相互に対向するように配置されている。また両指挿入片１１は、それぞれ折曲線１１ａの両端部を基端として頂壁５Ｅの開口端縁の方向にそれぞれ膨出するほぼ半円状の切り取り線１１ｂを有し、頂壁５Ｅと折曲線１１ａを介して連結されている。
【００２４】
両側壁５Ｃは、それぞれカートン６の上下方向に並列される上部側板５Ｃａと下部側板５Ｃｂとを備えており、各側板５Ｃａ、５Ｃｂは折曲可能に連設されている。上部側板５Ｃａには、一対の切断線１２がそれぞれ一方の開口端縁から他方の開口端縁に至るように対向して配置され、両切断線１２の間に形成される長片は、切断片１３とされている。
【００２５】
底壁５Ａの開口端縁には、カートン６の内部において端部開口２側に配置された缶３における胴部３ｄの外周面の下端部を支持する支持壁１５が立設されており、支持壁１５の一側縁は、底壁５Ａの開口端縁に折曲可能に連設されている。
【００２６】
支持壁１５の開放端縁には、該開放端縁の両端部または両端部近傍を基端として底壁５Ａの方向に凹入する支持壁凹部１５ａが形成されている。本実施形態において支持壁凹部１５ａは、図４に示すように、両基端部が支持壁１５の開放端縁の両端部に至り、全体的に緩やかな円弧状に形成されている。
【００２７】
本実施形態に係るカートン６の一実施例として、支持壁１５は、底壁５Ａ側の側縁方向の長手方向の寸法が１１１ｍｍ、開放端縁側の側縁方向の長さ寸法が１０８ｍｍ、端縁方向の幅寸法が２５ｍｍにそれぞれ形成され、支持壁凹部１５ａは、底壁５Ａ方向への凹入寸法が３ｍｍとなるように形成されている。
【００２８】
なお、本考案に係る包装体１における頂壁凹部７および支持壁凹部１５ａの凹入寸法や形状は、本実施形態の寸法や形状に限定されるものではなく、複数の包装体１が収納される箱体の内部に包装体１を収納しまたは前記箱体の内部から包装体１を取り出す際に、相互に端部開口２が対向する位置に隣位して配置される包装体１のカートン６との緩衝防止や頂壁５Ｅの強度等を考慮して決定される。例えば、頂壁凹部７および支持壁凹部１５ａの形状は、全体的に緩やかな円弧状であることに限定されず、図５（ａ）〜（ｃ）に示すように、直線辺を有する形状であってもよい。
【００２９】
支持壁１５は、両側縁がウェブ片１８を介して折り返し片１９に折曲可能に連設されており、折り返し片１９は、下部側板５Ｃｂの端部開口２側の開口端縁に折曲可能に連設されている。
【００３０】
本実施形態における包装体１のカートン６を構成するカートンブランク９は、図３に示すように、底壁５Ａの一側縁に下側傾斜壁５Ｂを介して側壁５Ｃが連設され、側壁５Ｃの一側縁に頂壁５Ｅが連設され、頂壁５Ｅの一側縁に側壁５Ｃが連設され、側壁５Ｃの一側縁に下側傾斜壁５Ｂを介して連結板１６が連設されている。また、底壁５Ａの両開口端縁には支持壁１５が連設され、支持壁１５の一側縁にはウェブ片１８を介して折り返し片１９が連設されており、折り返し片１９の一側縁は、下部側板５Ｃｂの開口端縁に連設されている。さらに、連結板１６の両端縁には連結片１７が連設され、連結片１７の一側縁にはウェブ片１８を介して折り返し片１９が連設されており、折り返し片１９の一側縁は、下部側板５Ｃｂの開口端縁に連設されている。
【００３１】
このカートンブランク９によってカートン６の内部に各缶３を収納して包装体１とするには、まず、所定の位置に並列配置された各缶３の蓋部３ａおよび首部３ｂを支持開口部１０に通し、頂壁５Ｅ、上側傾斜壁５Ｄ、側壁５Ｃ、下側傾斜壁５Ｂ、底壁５Ａの間の折曲線１１ａを山折りにする。また、連結板１６の外面を底壁５Ａの内面に接着等により連結するとともに、連結片１７の外面を支持壁１５の側縁部分の内面に接着等により連結する。さらに、下部側板５Ｃｂと折り返し片１９の間の折曲線１１ａを山折りにし、ウェブ片１８と折り返し片１９の間の折曲線１１ａを谷折りにし、さらにウェブ片１８と支持壁１５との間の折曲線１１ａを山折りにして、折り返し片１９の外面、ウェブ片１８の内面、さらに支持壁１５の内面を、カートン６の内部における端部開口２側に配置された缶３における胴部３ｄの外周面の一部分に対向させる。これにより、カートンブランク９は、カートン６の内部に各缶３が収納された包装体１を構成するようになっている。また、包装体１は、折り返し片１９およびウェブ片１８が缶３における胴部３ｄの外周面によって下側側板５Ｃｂの内面に押さえつけられ、支持壁１５が底壁５Ａの開口端縁に立設されて、缶３がカートン６の内部から端部開口２を介して抜け落ちないように支持壁１５によって缶３が支持されるようになっている。
【００３２】
次に本実施形態に係る包装体１の作用について説明する。
【００３３】
本実施形態に係る包装体１によれば、頂壁５Ｅの開口端縁に頂壁凹部７が形成されており、頂壁５Ｅの開口端縁が他の壁パネル５Ａ〜５Ｄの開口端縁のうち最も外側に配置される開口端縁よりも頂壁５Ｅにおける内側に配置されることとなる。これにより、包装体１は、複数の包装体１が収納される箱体の内部に包装体１を収納する際または前記箱体の内部から包装体１を取り出す際に、カートン６の頂壁５Ｅが、端部開口２が対向する位置に隣位して配置される包装体１の頂壁５Ｅや底壁５Ａと緩衝してしまうことを防止することができる。
【００３４】
また、本実施形態に係る包装体１によれば、支持壁１５の開放端縁に支持壁凹部１５ａが形成されているので、支持壁１５の開放端縁がカートン６の外側に膨出してしまうことを防止することができる。これにより、包装体１は、箱体の内部に包装体１を収納したりまたは箱体の内部から包装体１を取り出す際に、カートン６の支持壁１５が、端部開口２が対向する位置に隣位して配置される包装体１の頂壁５Ｅと緩衝してしまうことを防止することができる。
【００３５】
したがって、本実施形態に係る包装体１は、箱体への収納および箱体からの取り出しを円滑に行うことができ、頂壁５Ｅや底壁５Ａが破断してしまうことを防止することができる。
【００３６】
また、頂壁凹部７の両基端部を上側傾斜壁５Ｄの開口端縁に至るように形成することにより、頂壁５Ｅの開口端縁全体が、他の壁パネル５Ａ〜５Ｄの開口端縁のうち最も外側に配置される開口端縁よりも頂壁５Ｅの内側に配置されることとなるので、包装体１は、カートン６の頂壁５Ｅが、箱体の内部において相互に端部開口２が対向する位置に隣位して配置される包装体１の頂壁５Ｅや底壁５Ａと緩衝してしまうことをより確実に防止することができる。
【００３７】
さらに、本実施形態に係るカートンブランク９によれば、複数の包装体１が収納される箱体の内部に包装体１を収納する際または前記箱体の内部から包装体１を取り出す際に、カートン６の頂壁５Ｅが、端部開口２が対向する位置に隣位して配置される包装体１の頂壁５Ｅや底壁５Ａと緩衝してしまうことを防止することができる包装体１のカートン６を構成することができる。
【００３８】
なお、本考案は前記実施形態に限定されるものではなく、必要に応じて種々変更することが可能である。
【００３９】
例えば、本実施形態に係るカートンブランク９は、側壁５Ｃに連設された連結板１６を底壁５Ａに接続することにより筒状のカートン６を形成するようになっているが、カートンブランク９の構成は本実施形態に限定されるものではなく、頂壁５Ｅ、一対の側壁５Ｃ、底壁５Ａによって筒状のカートン６を形成可能な構成であればよい。
【００４０】
さらに、本実施形態においては、頂壁５Ｅが上側傾斜壁５Ｄを介して側壁５Ｃに連設されているが、本考案はこの構成に限定されず、例えば、頂壁５Ｅが側壁５Ｃに直接連設され、頂壁凹部７の基端部が側壁５Ｃに至るように形成してもよい。
【００４１】
また、本考案に係る包装体１におけるカートン６の内部に収納される被収納物３は、本実施形態の説明に用いた首長状の缶３や瓶に限定されず、両端に端部開口２を備えたカートン６に収納可能な円筒形状の缶３や、ペットボトル等の種々の被収納物３に適用することが可能である。
【符号の説明】
【００４２】
１  包装体
２  開口
３  被収納物（缶）
５  壁パネル
５Ａ  底壁
５Ｂ  下側傾斜壁
５Ｃ  側壁
５Ｃａ  上部側板
５Ｃｂ  下部側板
５Ｄ  上側傾斜壁
５Ｅ  頂壁
６  カートン
７  頂壁凹部
１０  支持開口部
１１  指挿入辺
１１ａ  折曲線
１１ｂ  切り取り線
１２  切断線
１３  切断片
１５  支持壁
１５ａ  支持壁凹部
【図１】
0003191088.tif 000003
【図２】
0003191088.tif 000004
【図３】
0003191088.tif 000005
【図４】
0003191088.tif 000006
【図５】
0003191088.tif 000007